(57)【要約】      （修正有）【課題】脚支柱にガスシリンダを使用したネスティング可能な椅子において、強度に関する信頼性や背もたれ等の部材の設計の自由性を高める。【解決手段】脚支柱４の上端に固定式ベース８が固定されており、固定式ベース８に左右の支持フレーム９が上向き突設されている。座２は可動式ベースに取り付けられており、可動式ベースは、座２の後端の近傍でかつ固定式ベース８より高い位置で支持フレーム９に連結されている。使用状態での座２の荷重は、固定式ベース８の前端部の下突条２９において固定式ベース８で支持される。座２は背もたれ３と対向するように跳ね上げられるため、背もたれ３の設計は座２に制約されることなく行える。使用状態の荷重は固定式ベース８の前端部で支持されるため、支持強度・安定性に優れている。【選択図】図１
2014004353.tif 000002
【特許請求の範囲】
【請求項１】
鉛直姿勢の脚支柱を有する脚装置と、前記脚支柱の上端に設けた固定式ベースと、前記固定式ベース又はこれから上向き突設した支持フレームに取り付けた背もたれと、前記支持フレーム若しくは背もたれに跳ね上げ回動自在に取り付けられた座とを有しており、前記座を跳ね上げることで前後に嵌め合わせることが許容されている構成であって、
前記座の回動支点は、当該座の後端部近傍でかつ前記固定式ベースよりも上に位置している一方、人が着座できるように倒した座が前記固定式ベースのうち前記脚支柱の軸心よりも手前側の部位で支持されている、
椅子。
【請求項２】
前記支持フレームは座の左右両側に位置しており、前記支持フレームに、前記座が上から載る可動式ベースを跳ね上げ自在に取り付けており、前記座に作用した荷重は可動式ベースを介して固定式ベースで支持される、
請求項１に記載した椅子。
【請求項３】
前記固定式ベースは金属製であり、この固定式ベースの上面に樹脂製のカバーが装着されており、前記カバーに、前記座を支持する左右横長の下突条又は下溝条を設けている一方、前記座又は可動式ベースの下面に、前記下突条に嵌まる左右横長の上溝条又は下溝条に嵌まる上突条を設けている、
請求項１又は２に記載した椅子。
【発明の詳細な説明】
【技術分野】
【０００１】
本願発明は、ガスシリンダ式の脚支柱を有すると共に座を跳ね上げることで前後方向に嵌め合わせできるネスティング可能な椅子に関するものである。
【背景技術】
【０００２】
椅子を使用しない状態で格納スペースを節約するために、椅子同士を前後方向（水平方向）に嵌め合わせること（ネスティングすること）は広く行われている。この種のネスティング可能な椅子は、骨組みを金属パイプで構成したパイプ椅子と呼ばれているタイプが多いが、脚支柱として伸縮自在なガスシリンダを使用している椅子（回転椅子）をネスティング可能な構造にすることも提案されており、その例が特許文献１，２に開示されている。
【０００３】
具体的に述べると、特許文献１では、まず、脚を前後４本の枝足を有する方式として、前２本の枝足の高さを後ろ２本の枝足の高さよりも低くすると共に、前２本の枝足の広がり角度を後ろ２本の枝足の広がり角度より小さくすることで、前後に配置した脚装置が嵌まり合うように設定しており、座を略鉛直姿勢に跳ね上げると、前後に配置した椅子を互いに嵌め合わせることができる（ネスティングできる。）。
【０００４】
また、特許文献１，２とも通常の椅子と同様に脚支柱の上端には固定式ベースを設けており、特許文献１では、固定式ベースのうち脚支柱の真上の位置にトーションバーを横向き姿勢で配置して、このトーションバーに座を取り付けており、従って、座はトーションバーの軸心回りに回動するようになっている。他方、特許文献２では、座は固定式ベースのうち脚支柱の後ろに連結しており、座を倒した状態では、座は固定式ベースのうち脚支柱よりも手前の位置で支持されるようになっている。
【先行技術文献】
【特許文献】
【０００５】
【特許文献１】特許第３７３０１１９号公報
【特許文献２】特許第４３０６９２２号公報
【発明の概要】
【発明が解決しようとする課題】
【０００６】
既述のように、特許文献１では、座の跳ね上げ回動範囲はトーションバーを保持している部材で規制しており、このため、例えば人が座の前端部に腰掛けると座の支持部材に大きなモーメントが作用する恐れがあり、このため、座の支持構造を頑丈な構造にせねばならない問題がある。また、座はその前後中途部を中心に回動するため、跳ね上げた状態で座は固定式ベースの後ろに位置することになり、すると、座を跳ね上げた状態で背もたれと座とのスペースの取り合いが厄介になり、結果として背もたれの形状の自由性が阻害されるおそれもある。
【０００７】
他方、特許文献２では座に作用した荷重は固定式ベースで安定的に支持されるため、部材を過度に頑丈な構造にする必要はないが、特許文献２も座の前後中途部を固定式ベースの後端寄り部位に連結するものであるため、座は跳ね上げた状態で固定式ベースの後ろに位置しており、このため、座を跳ね上げた状態で背もたれと座とのスペースの取り合いが厄介になるという問題は解消されていない。
【０００８】
本願発明は、このような現状を改善すべく成されたものである。
【課題を解決するための手段】
【０００９】
本願の椅子は、鉛直姿勢の脚支柱を有する脚装置と、前記脚支柱の上端に設けた固定式ベースと、前記固定式ベース又はこれから上向き突設した支持フレームに取り付けた背もたれと、前記支持フレーム若しくは背もたれに跳ね上げ回動自在に取り付けられた座とを有しており、前記座を跳ね上げることで前後に嵌め合わせることが許容されている。
【００１０】
そして、請求項１の発明では、  前記座の回動支点は、当該座の後端部近傍でかつ前記固定式ベースよりも上に位置している一方、人が着座できるように倒した座が前記固定式ベースのうち前記脚支柱の軸心よりも手前側の部位で支持されている。
【００１１】
請求項２の発明では、請求項１において、前記支持フレームは座の左右両側に位置しており、前記支持フレームに、前記座が上から載る可動式ベースを跳ね上げ自在に取り付けており、前記座に作用した荷重は可動式ベースを介して固定式ベースで支持されるようになっている。
【００１２】
請求項３の発明では、請求項１又は２において、前記固定式ベースは金属製であり、この固定式ベースの上面に樹脂製のカバーが装着されており、前記カバーに、前記座を支持する左右横長の下突条又は下溝条を設けている一方、前記座又は可動式ベースの下面に、前記下突条に嵌まる左右横長の上溝条又は下溝条に嵌まる上突条を設けている。
【発明の効果】
【００１３】
本願発明では、座の回動支点が当該座の後端部近傍でしかも固定式ベースより高い高さに位置しているため、座は背もたれと対向するような状態に跳ね上げることができる。従って、背もたれの形状等が座によって規制されるようなことは無くて、設計の自由性を向上できる。
【００１４】
また、座は倒した状態で固定式ベースのうち脚支柱よりも手前の部位で支持されるため、座の前部に大きな荷重がかかっても、部材を過度に頑丈な構造にすることなく的確に支持することができる。従って、高い信頼性を確保できる。
【００１５】
座は支持フレームに直接取り付けることも可能であるが、請求項２のように可動式ベースを介して取り付けると、強度のための部材と座り心地を良くするための部材とを分離できる利点や、座だけ交換できるといった利点がある。また、実施形態のように座を前後動させて快適性を向上させることも可能になる。
【００１６】
請求項３の構成を採用すると、突条と溝条との嵌め合わせによって座や可動式ベースの前後位置ずれを防止できるため、安定性に優れている利点がある。
【図面の簡単な説明】
【００１７】
【図１】第１実施形態に係る椅子の外観図で、（Ａ）は座を起こした姿勢での斜視図、（Ｂ）は座を倒した状態での斜視図、（Ｃ）は片側の支持フレームを取り外した状態での側面視図である。
【図２】分離斜視図である。
【図３】（Ａ）は上から見た分離斜視図、（Ｂ）は下から見た分離斜視図である。
【図４】（Ａ）は要部の縦断側面図、（Ｂ）は固定式ベースを後ろから見た斜視図である。
【図５】（Ａ）は固定式ベースの内部を示す斜視図、（Ｂ）はロック解除状態を示す部分側面図である。
【図６】（Ａ）はロック解除レバーと軸受けホルダーとの分離斜視図、（Ｂ）はガスシリンダ操作機構の分離斜視図である。
【図７】（Ａ）は脚装置の正面図、（Ｂ）はネスティング状態での脚装置の平面図である。
【図８】片側の支持フレームを省略してネスティング状態での側面図である。
【図９】（Ａ）（Ｂ）とも第２実施形態に係る椅子の斜視図である。
【図１０】（Ａ）はニュートラル状態での側面図、（Ｂ）はロッキング状態での側面図である。
【図１１】（Ａ）は座を跳ね上げた状態での斜視図、（Ｂ）は脚装置の正面図である。
【図１２】ネスティング状態を示す側面図である。
【発明を実施するための形態】
【００１８】
(1).概要
次に、本願発明の実施形態を図面に基づいて説明する。まず、概要を説明する。なお、以下の説明で方向を特定するため「前後」「左右」の文言を使用するが、これは、椅子に普通に腰掛けた人から見た状態を基準にしている。
【００１９】
図１のとおり、椅子は、大きな要素として脚装置１と座２と背もたれ３とを備えている。図７，８に明示するように、脚装置１は、ガスシリンダよりなる脚支柱４と、脚支柱４を抱持する中心筒５と、中心筒５に溶接等で固定した前後２本ずつの枝足６ａ，６ｂとを有しており、各枝足６ａ，６ｂの先端にはキャスタ７を取り付けている。
【００２０】
枝足６ａ，６ｂは概ね中心筒５から放射方向に向かって延びており、中心筒５から下向きに傾斜した姿勢になっており、先端は鉛直姿勢に曲げている。前２本の枝足６ａの傾斜姿勢及び先端間の左右間隔を後ろ２本の枝足６ｂのそれと異ならせることで、前後に配置された脚装置１が互いに嵌まり合うことを許容している（詳細は後述する。）。
【００２１】
脚支柱４の上端には上向き開口で箱状の固定式ベース８が取り付けられており、図１，２のとおり、固定式ベース８に、座２の左右外側から座面上方に突出した左右一対の支持フレーム９を固定しており、この支持フレーム９の上端部に背もたれ３を回動自在に連結している。
【００２２】
背もたれ３は前後に開口した背枠１０とその開口に配置した背受け体１１とから成っており、図１，２のとおり、背枠１０のうち着座者の腰部が当たる高さ位置の部分に、手前側及び外側に突出した張り出し部１０ａを先端に向けて上下幅が小さくなるようにして設け、張り出し部１０ａの外端が支持フレーム９の上端部の上連結部１２に軸受けブッシュ１３を介して連結されている。
【００２３】
従って、背もたれ３は、上連結部１２の箇所を中心にして左右横長の軸心回りに回動する。また、本実施形態では、背もたれ３は、ロッキングに回動支点よりも上は後退して回動支点より手前は前進する。軸受けブッシュ１２は背もたれ３の回動角度は規制する役割も果たしている。
【００２４】
支持フレーム９の上連結部１２には背枠１０を連結するためのボス部を設けているが、本願発明との関係は薄いので図示は省略している。背もたれ３の背受け体１１は樹脂製背板の前面にクッションを張った構造になっているが、メッシュ材で構成することも可能である。支持フレーム９の上端には前向きに突出した肘当て部９ａを設けており、肘当て部９ａにはパッド１３を装着している。
【００２５】
座２は樹脂製座板の上面にクッションを張った構造であり、この座２は、平面視四角形の可動式ベース１６に取り付けられている。図２のとおり、可動式ベース１６の後端部に、当該可動式ベース１６の左右外側において上向きに突出した吊支アーム１７を一体に設け、吊支アーム１７の上端部を支持フレーム９の上下中途高さ位置の下連結部１８に、図示しない軸受け部材を介して回動自在に連結している。
【００２６】
図１（Ｃ）から明らかなとおり、座２及び可動式ベース１６の回動支点Ｏは、座２の後端よりも少し手前側でかつ倒し状態の座２の上面（座面）よりも少し高い高さに位置している。従って、座２の回動支点Ｏは固定式ベース８の上面よりは遥かに高い高さになっている。
【００２７】
可動式ベース１６は、支持フレーム９の下連結部１９の箇所を中心にして、左右横長の軸心回りに回動する。これにより、座２は水平状の倒れ姿勢から背もたれ３と対向した起こし姿勢まで跳ね上げることができる。なお、可動式ベース１５は樹脂製としているが、アルミダイキャスト品や板金加工品も採用できる。吊支アーム１７を可動式ベース１６とは別体に構成することも可能である。可動式ベース１６に多数の補強リブを設けている。
【００２８】
可動式ベース１６には左右一対のレール１９が前後動自在に装着されており、レール１９に座２を固定している。レール１９は内蔵したばね（図示せず）によって後退方向に付勢されている。そして、レール１９の後端に左右横長のステー２１を固定し、ステー２１の左右両端に上向きの受動アーム２１ａを一体に設け、受動アーム２１ａの上端部を背もたれ３の下端部に設けてポケット状の押動部２２に下方から嵌め入れている。
【００２９】
従って、ロッキングによって背もたれ３が後傾すると座２は前進し、背もたれ３に対する圧力が解除されると背もたれ３はニュートラル姿勢に戻ると共に座２は後退する。受動アーム２２の上端に樹脂製のスライダー２３を装着している。スライダー２３は側面視で円形に近い形態であり、その軸心は可動式ベース１６の回動軸心とほぼ一致している（従って、可動式ベース１６はこじれのない状態で跳ね上げることができる。）。
【００３０】
(2).固定式ベース及び支持フレームの取り付け構造・昇降機構
固定式ベース８はおおむね正方形に近い平面形状であり、これに左右の支持フレーム９を固定している。左右の支持フレーム９は図１，２では正面視で外向き凸状に湾曲しているように見えるが、このように見えるのは図８のように側面視で後ろ向き凸状に湾曲しているためであり、実際には、図７（Ａ）のとおり、下水平部と鉛直部とを有する正面視略Ｌ形になっている。
【００３１】
例えば図４（Ａ）に示すように、固定式ベース８の内部には、当該固定式ベース８の後ろ半分程度の底板との間に上下の空間が空くようにしてセンターブラケット２５を溶接で固着し、固定式ベース８とセンターブラケット２５とにブッシュ２６を固着し、このブッシュ２６に脚支柱４の上端を下方から差し込み装着している。
【００３２】
図３に示すように、固定式ベース８は断面略角形になっているが、この左右支持フレーム９のうち下端を構成する下水平部９ｂに前後幅及び上下幅とも小さくした角形の突部９ｃを設け、突部９ｃを固定式ベース８に設けた横穴２７に差し込んでいる。突部９ｃには、固定式ベース８に下方から貫通したビス（図示せず）がねじ込まれており、従って、突部９ｃは固定式ベース８に抜け不能に固定されている。溶接で固定してもよい。
【００３３】
突部９ｃは固定式ベース８とセンターブラケット２３とで上下動不能に位置決めされており、また、固定式ベース８に設けた前後の内向き側片８ｂ（図５（Ａ）も参照）によって前後位置が規制されている。
【００３４】
なお、固定式ベース８と左右支持フレーム９とをアルミダイキャストや樹脂成型品で一体成型することも可能であるが、この場合は非常に大きな金型が必要になると共に、設計変更の融通性も悪い問題がある。これに対して本実施形態のように固定式ベース８と左右支持フレーム９とを別部材に構成すると、支持フレーム９は一般的な大きさの金型で製造できると共に、固定式ベース８及び支持フレーム９の設計変更にも簡単に対応できる利点かある。
【００３５】
例えば図３，４に示すように、固定式ベース８には、その全体を覆うカバー２８が被さっている。カバー２８は樹脂製であり、前後の爪２８ａ（図３（Ａ）参照）を固定式ベース８の前後板に設けた係合穴８ｃ（図５（Ａ）参照）に嵌め込んでいる。カバー２８をアルミダイキャスト製として、ビスで固定式ベース８に固定することも可能である。
【００３６】
カバー２８の前部には、可動式ベース１６を支持する座支持部として横長の下突条２９を突設している。下突条２９の上端にはその左右両端部を残して凹み３０を形成しており、従って、可動式ベース１６は左右２カ所で状態で支持されている。下突条２９の内面には多数のリブ３１を設けており、このリブ３１を固定式ベース８のフランジ８ａで支持している。このため、大きな荷重であっても的確に支持される。図１（Ａ）のとおり、可動式ベース１６には下突条２９が嵌まる上溝条１５ａを設けている。
【００３７】
図３〜５のとおり、固定式ベース８の内部には、着座者が手動により高さ調節するための操作ロッド３２と、可動式ベース１６の跳ね上げによって固定式ベース８を最大高さまで自動的に上昇させる自動上昇レバー３３とが取り付けられている。操作ロッド３２は手動操作手段の主要部を構成して、自動上昇レバー３３は自動上昇手段の作動部材を構成している。
【００３８】
操作ロッド３２は金属丸棒製であり、例えば図６（Ｂ）から明らかなとおり、前後長手部３２ａの前端には外向き横長部３２ｂを設けて前後長手部３２ａの後端には内向き横長部３２ｃを設けたクランク状の外観を呈している。そして、外向き横長部３２ｂは固定式ベース８の外側に突出させて、これに指当て用の摘まみ３４を取り付けている。摘まみ３４は請求項に記載した手動操作具の一例である。脚支柱４のロック解除をワイヤーで行うことも可能であり、この場合は、手動操作具は座２に設けることが可能である。
【００３９】
前後長手部３２ａは樹脂製の軸受けホルダー３５で押え保持されており、従って、操作ロッド３２は前後長手部３２ａの軸心回りに回動する。操作ロッド３２における内向き横長部３２ｃの前端部は偏平に潰されており、脚支柱４におけるロック解除バルブ３６の上に位置している。従って、操作ロッド３２を上に引くとロック解除バルブ３６が下向きに押され、これによって脚支柱４のロックが解除されて固定式ベース８は上昇する。操作ロッド３２の外向き横長部３２ｂは、固定式ベース８の側板に設けた上下長手の長穴３７に嵌まっている。このため、操作ロッド３２は前後ずれ不能に保持されている。
【００４０】
自動上昇レバー３３は前後方向に長い形態で、その後端部は、ロック解除バルブ３６の真上でかつ操作ロッド３２における内向き横長部３２ｃの先端の上に位置している。従って、自動上昇レバー３３の後端が下がると、ロック解除バルブ３６は操作ロッド３２を介して押し下げられる。なお、ロック解除バルブ３６を押し下げ操作する回動式の中間部材を固定式ベース８に設けて、この中間部材を操作ロッド３２と自動上昇レバー３３とで個別に押す構造を採用することも可能である。
【００４１】
軸受けホルダー３５は、操作ロッド３２を回転自在に保持する第１軸受け部３２ａと、自動上昇レバー３３が嵌まり込む後ろ向き開口の第２軸受け部３２ｂと、下ばね受け部３２ｃとを有しており、ビス４２でセンターブラケット２３に固定されている。軸受けホルダー３５の第１軸受け部３２ａと第２軸受け部３２ｂとはセンターブラケット２３の上面に重なっているが、ばね受け部３２ｃは下側に段落ちしており、ばね受け部３２ｃは、センターブラケット２３の前端に設けた前向き下片２３ａに上から重なっている。センターブラケット２３の前向き下片２３ａは固定式ベース８の底面に重なっている。
【００４２】
軸受けホルダー３５における第２軸受け部３２ｂの左右内側面には、上には貫通していない軸受け溝穴３８が空いている一方、自動上昇レバー３３には、第２軸受け部３２ｂの軸受け溝３９に嵌まる軸受け突起３３ａが横向き突設されている。従って、図６（Ｂ）に示すように、自動上昇レバー３３を裏返して前後逆向きにしてから軸受け突起３３ａを軸受け溝３９に嵌め込み、次いで自動上昇レバー３３を手前に起こすことで自動上昇レバー３３を軸受けホルダー３５にセットできる。また、自動上昇レバー３３は軸受け突起３３ａの軸心回りに回動可能になっている。
【００４３】
自動上昇レバー３３には、軸受けホルダー３５の下ばね受け部３５ｃと対抗した上ばね受け部３３ｂを設けており、上下のばね受け部３３ｂ，３５ｃの間に、ばね手段の一例としての圧縮コイル式のばね４０を介在させている。従って、自動上昇レバー３３は、ロック解除バルブ３６を押し下げる方向にばね４０で付勢されている。上下のばね受け部３３ｂ，３５ｃには、ばね４０のずれ防止のためボス部３３ｃ，３５ｄを設けている。
【００４４】
そして、自動上昇レバー３３の前端には上向きの部３３ｄを設けて、可動式ベース１６を倒すと、この可動式ベース１６で自動上昇レバー３３の上向きの部３３ｄを押すことで、自動上昇レバー３３によるロック解除バルブ３６の押し作用が解除される。自動上昇レバー３３の後端は操作ロッド３２における内向き部３２ｃの先端の上に位置しているので、操作ロッド３２の操作性は妨げられない。
【００４５】
固定式ベース８を覆うカバー２８には、自動上昇レバー３３の上向き部３３ｄをカバー２８の上に露出させるための穴４１が空いている。穴４１は下突条２９の後ろに隠れるように空いており、可動式ベース１６を跳ね上げた状態で、上向き部３３ｄと下突条２９とは略同じ程度の高さになるように設定している。このため、上向き部３３ｄに物が引っ掛かったり、見栄えが悪くなったりすることはない。
【００４６】
可動式ベース１６を跳ね上げると自動上昇レバー３３を介してばね４０でロック解除バルブ３６が押し下げられ、これによって固定式ベース８が上昇する。従って、レバー操作を要することなく、可動式ベース１６のどこに手を当てて跳ね上げても固定式ベース８を自動的に上昇させることができる。既に述べたが、自動上昇に伴って、脚装置１の内筒と外筒とが相対回転して、脚装置１と座部（座２及び可動式ベース１６）及び背もたれと３の相対姿勢がネスティング可能な基準姿勢に保持される。
【００４７】
自動上昇レバー３３の回動ストロークは僅かなので、本実施形態では、可動式ベース１６を跳ね上げ回動させる初期において固定式ベース８が上昇する。また、可動式ベース１６を倒すに際しては、その終期に脚装置１のロックが解除される。
【００４８】
ばね４０は可動式ベース１６を跳ね上げ方向に押しているので、可動式ベース１６の安定性という点からは、ばね４０の弾性力はできるだけ小さいのが好ましい。この点については、自動上昇レバー３３によるテコ作用をできるだけ大きくしたらよい（自動上昇レバー３３は、固定式ベース８の対角方向に長い姿勢に配置することも可能である。）。また、昇降操作手段及び自動上昇手段ともレバー方式である必要はなく、チューブにワイヤーを摺動自在に挿入した索導管を使用することも可能である。
【００４９】
(4).脚装置
本実施形態では、脚装置１も改善されている。この点を次に説明する。脚装置１は第１実施形態と同様に前後２本ずつの枝足６ａ，６ｂを有しているが、本実施形態では、各枝足６ａ，６ｂの付け根は同じ高さになっており、同じ高さで中心筒５の上端部から分岐している。
【００５０】
そして、前後のネスティングを可能にするため、図７（Ｂ）のとおり、前側の枝足６ａの前端間の左右間隔を後ろ側の枝足６ｂの前端間の左右間隔より小さくすると共に、図８のとおり、前側の枝足６ａは側面視略直線状に傾斜させて、後ろ側の枝足６ｂは側面視で上側に脹れたように湾曲させている。枝足６ａ，６ｂがこのような側面視形状であることにより、後ろに位置した椅子の前側の枝足６ａが前に位置した椅子における後ろの枝足６ａの下方に大きく入り込むことが許容されている。
【００５１】
そして、各枝足６ａ，６ｂは付け根の高さが同じであるため、高さを異ならせたものに比べて美感は格段に優れている。また、後ろ側の枝足６ｂは前側の枝足６ａより長さが長くなっているが、上側に脹れたアーチ構造であるため、高い強度を保持できる。なお、枝足６ａ，６ｂは前後の関係を逆にすることも可能であるが、使用者の足の邪魔になることを防止するには、実施形態のように前側の枝足６ａ，６ｂを短くして傾斜姿勢にするのが好ましい。なお、図示していないが、前側の枝足６ａと後ろ側の枝足６ｂとのうちいずれか一方又は両方には、ネスティングしたときの衝突で傷付くのを防止するための樹脂製の緩衝材を設けている。
【００５２】
(5).まとめ
以上のとおり、座２の回動支点Ｏは座２の後端寄り部位でかつ座２面より高い高さに位置しているため、座２は背もたれ３と対向する状態に跳ね上げることができる。従って、例えば背もたれ３の上下高さが座２によって制約を受けるといったことはなくて、設計の自由性が高い。また、座２に作用した荷重はカバー２８を介して金属製の固定式ベース８で支持されているため、高い支持強度を有する。実施形態では回動支点Ｏと下突条２８（座２の支持部）とが脚支柱４の前後両側に位置しているため、安定性も優れている。
【００５３】
下突条２８と上溝条１５ａとの嵌まり合いによって可動式ベース１６の位置の安定性が高く、ロッキングに際して可動式ベース１６が座２と連れ移動するようなことも皆無である。なお、可動式ベース１６に下向き突条を設けて、カバー２８に上向き突条を設けてもよい。可動式ベース１６を使用しない場合は、溝条又は突条は座２の下面に形成したらよい。
【００５４】
(6).第２実施形態
次に、図９〜１３に示す第２実施形態を説明する。本実施形態は基本的には第１実施形態と共通しているので、主として相違点を説明する。第１実施形態との相違点の１つとして、脚装置１の形態が挙げられる。
【００５５】
すなわち、本実施形態も前後２本ずつの枝足６ａ，６ｂを有するが、本実施形態では、図１１，１２に明示するとおり、前２本の枝足６ａの高さを後ろ２本の枝足６ｂの高さよりも低くすると共に、前２本の枝足６ａの広がり角度を後ろ２本の枝足６ｂの広がり角度より小さくすることで、前後に配置された脚装置１が同じ姿勢で互いに嵌まり合うことを許容している。
【００５６】
次に、固定式ベース８や支持フレーム９、可動式ベース１６の具体的な構造が第１実施形態と相違している。この点を次に述べる。本実施形態では、固定式ベース８は左右横長の形態であり、その左右両端部に、それぞれ座２の上方まで突出した支持フレーム９を固定している。
【００５７】
図９，１０から推測できるように、背もたれ３の下部の左右両側部には平面視Ｌ型の第１ブラケット４５が固定されており、第１ブラケット４５の外面に側面視略三角形の第２ブラケット４６を固定し、第２ブラケット４６の前端を第１支軸４７で支持フレーム９の上端に連結している。従って、背もたれ３は第１支軸４７を中心にして後傾動し得る。
【００５８】
図３に示すように、左右支持フレーム９のうち後部でから第１支軸４７より低い部位には、可動ベース体１６が第２支軸４８で跳ね上げ回動自在に連結されており、可動ベース体１６に座２が前後動自在に装着されている。
【００５９】
そして、例えば図９（Ａ）から理解できるように、第１ブラケット４５の後面に上下長手の主動アーム４９を固定し、主動アーム４９の下端に押動板５０を固定する一方、座２の後部のうち主動アーム４９の手前に位置した部位に上向きの従動アーム５１をそれぞれ固定し、従動アーム５１の上端に左右の補助板５２を固定して、左右補助板５２に挿通した従動ピン５３に押動板５０が後ろから当たるように設定している。従って、図１０に示すように、背もたれ３が後傾動すると押動板５０が前進して、これに伴って座２は前進動する。
【００６０】
座２の回動支点である第２支軸４８は、座２の後端近傍の前後位置でかつ倒し状態での座面より高い高さに配置されている。従って、座２の全体を固定式ベース８の上方に撥ね上げて、座２と背もたれ３とが全体的に対向させることができる。
【００６１】
詳細は省略するが、座２は可動ベース体１６に設けたばねで後退方向に付勢されており、このばねがロッキングに対する抵抗として作用する。可動式ベース１６の回動支点である第２支軸４８を中心にして上下に回動し、座２は跳ね上げると背もたれ３と対向した状態になる。
【００６２】
固定式ベース８の左右中間部にセンターブラケット２５を固定しており、更に、固定式ベース８には、センターブラケット２５を覆うような左右横長の支持ブラケット５４を固定しており、倒した状態の可動ベース体１６は支持ブラケット５４で安定的に支持される。センターブラケット２５と支持ブラケット５４との間にある態度の空間が開いており、この空間にガスシリンダ操作部材が配置されている。ガスシリンダ操作部材はチューブに挿通されたワイヤーで操作されるようになっており、図示していないが、座２（又は固定式ベース８）には、ワイヤーを引き操作するための昇降レバーを設けている。
【００６３】
(7).その他
本願発明は、上記の実施形態の他にも様々に具体化できる。例えば、座や背もたれの形態は必要に応じて任意に設定できる。背もたれの後傾動や座の動きに抵抗を付与するばね手段としては、トーションバーや板ばね、ゴムなど各種のばね体（弾性体）を採用できる。背もたれの後傾姿勢を制御するガスシリンダ等のロック手段を設けることも可能である。背もたれ又は座は、その外周を構成するフレーム材にメッシュ状等の可撓性シート材を張った構造とすることも可能である。
【００６４】
支持フレームは中間支持体と云えるが、背もたれと座（可動式ベース）とを別々の中間支持体に取り付けることも可能である。すなわち、背もたれ用の中間支持体と座用の中間支持体とを別々に設けることも可能である。手動操作具は必ずしも回動式である必要はなく、押しボタン方式やロータリー方式（回転式）であってもよい。
【００６５】
座は、本実施形態のように一点を中心にして回動するタイプでよいし、回動支点が移動しながら座が回動する方式でもよい（例えば、支軸が長穴に沿って前後方向に移動しながら、座が上下回動する方式。）。座の回動支点は、座の後端の箇所や、その少し後ろに位置させてもよい。脚支柱は必ずしもガスシリンダである必要はなく、従って高さ調節できなくてもよい。
【産業上の利用可能性】
【００６６】
本願発明は椅子に具体化して製造できる。従って、産業上利用できる。
【符号の説明】
【００６７】
１  脚装置
２  座
３  背もたれ
４  脚支柱（ガスシリンダ）
６  枝足
７  キャスタ
８  固定式ベース
９  支持フレーム
１２  上連結部
１６  固定式ベース
１８  下連結部
２８  カバー
２９  下突条
Ｏ  座の回動軸心
【図１】
2014004353.tif 000003
【図２】
2014004353.tif 000004
【図３】
2014004353.tif 000005
【図４】
2014004353.tif 000006
【図５】
2014004353.tif 000007
【図６】
2014004353.tif 000008
【図７】
2014004353.tif 000009
【図８】
2014004353.tif 000010
【図９】
2014004353.tif 000011
【図１０】
2014004353.tif 000012
【図１１】
2014004353.tif 000013
【図１２】
2014004353.tif 000014